(57)【要約】【課題】コネクタ部と器体との間の隙間を容易に接着することができ、気密性を有する構造を容易に実現することのできる電磁リレーを提供する。【解決手段】固定接点１２，１３及び可動接点２０，２１、並びに電磁石装置３等を収納するとともに後面の一部が開口した器体１と、一端部がコイル３２に接続されるとともに器体１の開口部分から外部に突出する端子片３１ａを有する２対のコイル端子３１と、器体１の開口部分を覆うように器体１に結合するとともにコイル端子３１の端子片３１ａを覆うコネクタ部４とから成り、コネクタ部４のフランジ部４１における器体１との境界部に器体１の外面よりも内方に窪んだ段差４１ｂを設けた。【選択図】図１
2010170793.tif 000002
【特許請求の範囲】
【請求項１】
固定接点と、固定接点と接離自在に対向する可動接点と、可動接点が設けられるとともに可動接点が固定接点から開離する向きに付勢された導電性材料から成る接点ばねと、コイルを有しコイルの励磁に応じて磁気吸引力を発生する電磁石装置と、磁性体から成り電磁石装置の磁気吸引力によって可動接点を固定接点と接触させる向きに接点ばねを駆動する接極子と、これらを収納するとともに一面の少なくとも一部が開口した器体と、一端部がコイルに接続されるとともに器体の開口部分から外部に突出する端子片を有する一乃至複数対のコイル端子と、器体の開口部分を覆うように器体に結合するとともにコイル端子の端子片を覆うコネクタ部とを備え、コネクタ部における器体との境界部には、器体の外面よりも内方に窪んだ段差が設けられたことを特徴とする電磁リレー。
【請求項２】
前記器体には、封止樹脂を充填でき且つコネクタ部を結合した際にコネクタ部の結合部位が器体の外面よりも突出しない程度の深さを有する凹部が設けられたことを特徴とする請求項１記載の電磁リレー。
【発明の詳細な説明】
【技術分野】
【０００１】
本発明は、コイルの励磁に応じて接点を開閉する電磁リレーに関する。
【背景技術】
【０００２】
従来から、電磁リレーを駆動する駆動用電源と接続するためのコネクタ部を有する電磁リレーが知られており、例えば特許文献１に開示されている。このような電磁リレーは、例えば互いに接離する固定接点及び可動接点と、可動接点が設けられるとともに可動接点が固定接点から開離する向きに付勢された接点ばねと、磁性体から成り接点ばねに設けられる接極子と、コイルが巻設されるとともに軸部に鉄心が挿通されたコイルボビンを有し、コイルの励磁による磁気吸引力によって接極子を駆動する電磁石装置とを備え、コイルの励磁・非励磁に応じて可動接点を固定接点に接離させて固定接点間の電路を開閉するものである。前記固定接点及び可動接点、接点ばね、接極子、電磁石装置は一面を開口した器体に収納され、当該器体の開口部分を覆うようにしてコネクタ部が器体に結合される。
【先行技術文献】
【特許文献】
【０００３】
【特許文献１】特開平９−５５２５３号公報
【発明の概要】
【発明が解決しようとする課題】
【０００４】
しかしながら、上記従来例では、コネクタ部を器体に結合する際に、コネクタ部と器体との境界部においてコネクタ部と器体とが面一、若しくはコネクタ部の方が器体よりも突出する。このため、コネクタ部と器体とをエポキシ樹脂等の封止樹脂で接着して結合する場合にコネクタ部と器体との間の隙間が非常に狭いために接着が困難になり、気密性を有する構造を容易に実現することができないという問題があった。
【０００５】
本発明は、上記の点に鑑みて為されたもので、コネクタ部と器体とを容易に接着することができ、気密性を有する構造を容易に実現することのできる電磁リレーを提供することを目的とする。
【課題を解決するための手段】
【０００６】
請求項１の発明は、上記目的を達成するために、固定接点と、固定接点と接離自在に対向する可動接点と、可動接点が設けられるとともに可動接点が固定接点から開離する向きに付勢された導電性材料から成る接点ばねと、コイルを有しコイルの励磁に応じて磁気吸引力を発生する電磁石装置と、磁性体から成り電磁石装置の磁気吸引力によって可動接点を固定接点と接触させる向きに接点ばねを駆動する接極子と、これらを収納するとともに一面の少なくとも一部が開口した器体と、一端部がコイルに接続されるとともに器体の開口部分から外部に突出する端子片を有する一乃至複数対のコイル端子と、器体の開口部分を覆うように器体に結合するとともにコイル端子の端子片を覆うコネクタ部とを備え、コネクタ部における器体との境界部には、器体の外面よりも内方に窪んだ段差が設けられたことを特徴とする。
【０００７】
請求項２の発明は、請求項１の発明において、器体には、封止樹脂を充填でき且つコネクタ部を結合した際にコネクタ部の結合部位が器体の外面よりも突出しない程度の深さを有する凹部が設けられたことを特徴とする。
【発明の効果】
【０００８】
請求項１の発明によれば、コネクタ部における器体との境界部に器体の外面よりも内方に窪んだ段差を設けたので、当該段差を封止樹脂を充填するための溜まり部とすることができる。したがって、当該段差に封止樹脂を充填することでコネクタ部と器体とを容易に接着することができ、境界部と器体とが面一、若しくはコネクタ部の方が器体よりも外部に突出する場合と比較して気密性を有する構造を容易に実現することができる。
【０００９】
請求項２の発明によれば、凹部に封止樹脂を充填することでコネクタ部と器体とを容易に接着することができる。また、凹部に封止樹脂を充填してコネクタ部と器体とを結合してもコネクタ部の結合部位が器体外面よりも外方に突出することがないので、リレーの小型化を図ることができる。
【図面の簡単な説明】
【００１０】
【図１】本発明に係る電磁リレーの実施形態を示す全体斜視図である。
【図２】同上の上面図である。
【図３】同上の断面図である。
【発明を実施するための形態】
【００１１】
以下、本発明に係る電磁リレーの実施形態について図面を用いて説明する。尚、以下の説明では、図３における上下を上下方向、左右を前後方向と定めるものとする。本実施形態は常開接点を有するラッチング型リレーであって、図１に示すように、後述する一対の固定接点１２，１３、各固定接点１２，１３と接離自在に対向する一対の可動接点２０，２１、可動接点２０，２１が設けられるとともに可動接点２０，２１が固定接点１２，１３から開離する向きに付勢された導電性材料から成る接点ばね２、コイル３２を有しコイル３２の励磁に応じて磁気吸引力を発生する電磁石装置３、磁性体から成り電磁石装置３の磁気吸引力によって可動接点２０，２１を固定接点１２，１３と接触させる向きに接点ばね２を駆動する接極子５を収納するとともに後面の一部が開口した器体１と、一端部がコイル３２に接続されるとともに器体１の開口部分から外部に突出する端子片３１ａを有する２対のコイル端子３１と、器体１の開口部分を覆うように器体１に結合するとともにコイル端子３１の端子片３１ａを覆うコネクタ部４とから構成される。
【００１２】
器体１は、絶縁性を有する合成樹脂材料から成り、図３に示すように下面及び後面の一部を開口した箱形のケース１０と、平板状に形成されてケース１０の下側の開口を塞ぐベース１１とから構成される。ベース１１には、その長手方向に沿った両側面から外方に突出する接続部１４ａ，１５ａを有する一対の固定端子板１４，１５が挿入固定されている（図１，２参照）。各固定端子板１４，１５の前端部は後述するコイルボビン３０の前端側の鍔部３０ｂと当接するように上方に折曲しており、当該折曲部位に固定接点１２，１３がそれぞれ固着されている。固定端子板１４，１５は互いに機械的且つ電気的に隔離されており、したがって、固定接点１２，１３は可動接点２０，２１が接触していない状態において電気的に隔離されている。また、接続部１４ａ，１５ａには、それぞれ略円形状の挿通孔１４ｂ，１５ｂが貫設されており、挿通孔１４ｂ，１５ｂにねじを挿通してバスバー（図示せず）等に接続部１４ａ，１５ａをねじ止めすることで電路間に本実施形態を挿入できるようになっている。尚、ケース１０の長手方向に沿った両側面の下端縁には、それぞれ固定端子板１４，１５の接続部１４ａ，１５ａを外部に臨ませるための略矩形状の切り欠き１ｄが設けられている。
【００１３】
また、器体１には、その後面の開口部分を塞ぐようにコネクタ部４が取り付けられている。コネクタ部４は、絶縁性を有する合成樹脂材料から成り、図１に示すようにコイル端子３１の端子片３１ａを覆う角筒状の主部４０と、主部４０の前端部と一体に形成され且つ器体１後面の開口部分を覆うフランジ部４１とから構成される。器体１後端部の上面（即ち、ケース１０の上面）及び下面（即ち、ベース１１の下面）には、それぞれ断面略三角形状の係止爪１ａが突設されており、フランジ部４１には当該係止爪１ａが係止する係止孔４１ａが貫設されている。而して、フランジ部４１の係止孔４１ａに各係止爪１ａを係止させることでコネクタ部４が器体１に取り付けられる。
【００１４】
電磁石装置３は、図３に示すように、絶縁性を有する合成樹脂材料から成り筒状の軸部３０ａの両端に鍔部３０ｂが設けられたコイルボビン３０と、コイルボビン３０の後端側の鍔部３０ｂに圧入固定される２対のコイル端子３１と、コイルボビン３０の軸部３０ａに巻設されたコイル３２と、棒状であって前端部に幅広の磁極部３３ａが設けられコイルボビン３０の軸部３０ａに挿通される鉄心３３と、磁性材料から成りコイルボビン３０の両端の鍔部３０ｂの間で軸部３０ａに沿ってコイル３２と対向するように配設される継鉄３４とから構成される。また、コイルボビン３０の後端側には、扁平な角柱状に形成され且つ前後方向において異極に着磁される永久磁石３５が配設される。
【００１５】
接点ばね２は、導電性材料から成る帯板状であって、断面略Ｌ字状に折曲されて一端部には、固定接点１２，１３と対向する形で可動接点２０，２１が固着されている。また、接点ばね２の他端部は継鉄３４に固着されており、他端部を支点として一端部が揺動自在となっている。また、折曲部位の近傍には、鉄心３３の磁極部３３ａと対向する形で接極子５が固着されている。而して、接極子５と鉄心３３の磁極部３３ａとの間に働く磁気吸引力に応じて接点ばね２の一端部が揺動し、可動接点２０，２１が固定接点１２，１３に接離する。
【００１６】
接点ばね２の継鉄３４に固着されている部位には、上方に突出するとともに器体１の上面に貫設された貫設孔１ｂから外部に露設されるデバッグ用端子２２が切り起こされている。尚、貫設孔１ｂは器体１上面において下方に凹設された窪み部１ｃの底面に貫設されている。この窪み部１ｃは、器体１外部に露出するデバッグ用端子２２が器体１上面よりも上方に突出しない程度の厚み寸法に形成されている。而して、デバッグ用端子２２が器体１の外方に突出しないため、デバッグ用端子２２に物が引っ掛かるなどしてデバッグ用端子２２が破損するのを防ぐことができる。尚、窪み部１ｃはエポキシ樹脂等の封止樹脂で封止するのが望ましい。この場合、貫設孔１ｂとデバッグ用端子２２との間の隙間を埋めることができるので、器体１内部の気密性を高めることができる。また、上述のようにデバッグ用端子２２が物に引っ掛かるなどして応力がかかることがないので、封止樹脂に応力がかかって器体１の気密性が失われるのを防ぐことができる。
【００１７】
コイル端子３１は、コイル３２に通電するための駆動用電源（図示せず）と接続される端子片３１ａを有し、各対のコイル端子３１間にはコイル３２への通電を停止した際のサージ吸収用のダイオード３１ｂが設けられている。各端子片３１ａは器体１の後端側から外部に突出するように配設され、これら端子片３１ａを覆うようにコネクタ部４が器体１の後端部に取り付けられることで各端子片３１ａを保護している。
【００１８】
コイル３２は二重に巻設されており、一方のコイル３２の両端部が一方の対のコイル端子３１に絡げられ、他方のコイル３２の両端部が他方の対のコイル端子３１に絡げられている。尚、一方の対のコイル端子３１に通電すると、一方のコイル３２が励磁して接極子５から鉄心３３の磁極部３３ａに向かう向きの磁束が発生し、他方の対のコイル端子３１に通電すると、他方のコイル３２が励磁して鉄心３３の磁極部３３ａから接極子５に向かう向きの磁束が発生するようになっている。
【００１９】
以下、本実施形態の開閉動作について説明する。一方の対のコイル端子３１に通電して一方のコイル３２を励磁すると、鉄心３３の磁極部３３ａと接極子５との間に生じる磁気吸引力によって接点ばね２の一端部が図３における反時計回りに揺動し、可動接点２０，２１が固定接点１２，１３に接触して固定接点１２，１３間の電路が閉成される。この状態で一方の対のコイル端子３１への通電を停止して一方のコイル３２の励磁を止めても、永久磁石３５から発生する磁束が継鉄３４、接極子５、鉄心３３の磁極部３３ａ、永久磁石３５で形成される磁路を通ることで鉄心３３の磁極部３３ａと接極子５との間に磁気吸引力が働き続けるために可動接点２０，２１と固定接点１２，１３とが接触する状態が維持される。そして、他方の対のコイル端子３１に通電して他方のコイル３２を励磁すると、永久磁石３５から発生する磁束と逆向きの磁束が発生するために鉄心３３の磁極部３３ａと接極子５との間の磁気吸引力が低下する。このため、接点ばね２の付勢力によって接点ばね２の一端部が図３における時計回りに揺動し、可動接点２０，２１が固定接点１２，１３から離れて固定接点１２，１３間の電路が開成される。
【００２０】
本実施形態では、上述のようにコネクタ部４のフランジ部４１の係止孔４１ａに器体１の各係止爪１ａを係止させた後に、エポキシ樹脂等の封止樹脂によって器体１とコネクタ部４とを接着することで器体１とコネクタ部４とを結合する。
【００２１】
ここで、図１に示すように、コネクタ部４のフランジ部４１における器体１との境界部（フランジ部４１の図１における左右両側）には、器体１の外面よりも内方に窪んだ段差４１ｂが設けられている。而して、当該段差４１ｂを封止樹脂を充填するための溜まり部とすることができる。したがって、当該段差４１ｂに封止樹脂を充填することでコネクタ部４と器体１とを容易に接着することができ、境界部と器体１とが面一、若しくはコネクタ部４の方が器体１よりも外部に突出する場合と比較して気密性を有する構造を容易に実現することができる。
【００２２】
また、本実施形態では、図１に示すように、器体１の上面及び後面に連通する断面略Ｌ字状の凹部１０ａを器体１に設けている。この凹部１０ａは、封止樹脂を充填でき且つコネクタ部４を結合した際にコネクタ部４の結合部位（フランジ部４１）が器体１の外面よりも突出しない程度の深さを有する。このため、上述のように段差４１ｂのみならず凹部１０ａにも封止樹脂を充填することでコネクタ部４と器体１とを容易に接着することができる。また、凹部１０ａに封止樹脂を充填してコネクタ部４と器体１とを結合しても、コネクタ部４のフランジ部４１が器体１外面よりも外方に突出することがないので、リレーの小型化を図ることができる。
【００２３】
尚、本実施形態は一対の固定接点１２，１３及び一対の可動接点２０，２１を有する２極リレーであるが、１極リレーや３極以上の接点を有するリレーであっても構わない。
【符号の説明】
【００２４】
１  器体
１０ａ  凹部
３１  コイル端子
３１ａ  端子片
４  コネクタ部
４１ｂ  段差
【図１】
2010170793.tif 000003
【図２】
2010170793.tif 000004
【図３】
2010170793.tif 000005